(57)【要約】【課題】メダルを払い出すメダル貸し出し機において、メダルがトレイに払い出された後のセキュリティの向上を図る。【解決手段】トレイ(120)は、ポケット(121a)を形成する第一壁部(121)と、第二壁部(122)とからなる。第二壁部(122)はトレイ(120)の右側においてのみ第一壁部(121)より高く形成されているため、右隣の客からトレイ(120)内のメダルが見えないようにすることができる。【選択図】図１
0003219712.tif 000002
【実用新案登録請求の範囲】
【請求項１】
メダル排出機構のメダル払い出し口に取り付けられるシュート付きトレイであって、
前記メダル払い出し口に取り付けられるシュートと、
前記シュートの先端に形成され、前記メダル排出機構から前記シュートを介して払い出されたメダルを受け入れるトレイと、
を備えるシュート付きトレイにおいて、
前記トレイは、
前記メダルを受け入れるポケットを形成する第一壁部と、
前記メダル排出機構に対する左側及び右側の何れか一方において前記第一壁部より高く形成されている第二壁部と、
を備えるものであるシュート付きトレイ。
【請求項２】
前記第二壁部は前記トレイの前方において前記第一壁部より高く形成されている部分をさらに有していることを特徴とする請求項１に記載のシュート付きトレイ。
【請求項３】
前記第二壁部は前記第一壁部に対して取り外し可能に前記第一壁部に取り付けられていることを特徴とする請求項１または２に記載のシュート付きトレイ。
【請求項４】
前記第二壁部は、前記メダル排出機構に対する左側及び右側の他方において、前記第一壁部に対して取り外し可能に前記第一壁部に取り付け可能であることを特徴とする請求項３に記載のシュート付きトレイ。
【請求項５】
前記シュートを構成する複数の面のうち、メダルが滑降する面である底面上には前記底面の少なくとも一部において金属板が取り付けられており、あるいは、前記底面の少なくとも一部は金属板で形成されており、前記金属板は前記メダル排出機構を形成する金属フレームに常時接触していることを特徴とする請求項１乃至４の何れか一項に記載のシュート付きトレイ。
【請求項６】
一対のシート状の導電端子と短絡検出器とをさらに備えており、
前記一対のシート状の導電端子は、前記シュートを構成する複数の面のうち、メダルが滑降する面である底面上に、前記シュートの先端において、相互に間隔を開けて配置されており、
前記短絡検出器は、前記ポケットの内部において一定高さ以上にメダルが貯留されたときに前記導電端子が相互に短絡したことを検出すると、前記導電端子の短絡を示す短絡信号を中央制御装置に送信し、
中央制御装置は前記短絡信号を受信すると、遊技媒体の払い出しを停止し、
前記短絡検出器は前記導電端子の短絡が解除されたことを検出すると、前記導電端子の短絡解除を示す短絡解除信号を中央制御装置に送信し、
中央制御装置は前記短絡解除信号を受信すると、遊技媒体の払い出しが途中である場合には、遊技媒体の払い出しを再開するものであることを特徴とする請求項１乃至５の何れか一項に記載のシュート付きトレイ。
【請求項７】
前記シュートは前記メダル排出機構に対して水平方向において回動可能であるように取り付けられていることを特徴とする請求項１乃至６の何れか一項に記載のシュート付きトレイ。
【請求項８】
前記メダル排出機構を前方から見たときに前記トレイの奥側の位置において前記第一壁部より高く形成されている第四壁部をさらに備えていることを特徴とする請求項１乃至７の何れか一項に記載のシュート付きトレイ。
【請求項９】
前記トレイの底面は、前記メダル排出機構を前方から見たときに、前記トレイの奥側から手前側に向かって下方に傾斜していることを特徴とする請求項１乃至８の何れか一項に記載のシュート付きトレイ。
【考案の詳細な説明】
【技術分野】
【０００１】
本考案はメダル貸し出し機その他のメダル排出機構のメダル払い出し口に取り付けられるシュート付きトレイに関する。
【背景技術】
【０００２】
パチンコホールその他の遊技場においては、回胴式遊技機（パチンコ型スロットマシン（通称「パチスロ」）の法律上の名称）やパチンコ台その他の遊技機器の横にはパチンコ玉や遊技用メダルその他の遊技媒体を貸し出すための遊技媒体貸し出し機が設置されている。遊技媒体貸し出し機に貨幣を投入すると、その貨幣の額に応じた個数の遊技媒体が遊技媒体貸し出し機から払い出される。
【０００３】
図１５は特開２０１５−１０７１７５号公報に記載された回胴式遊技機の正面図である。
メダル貸し出し機（遊技媒体貸し出し機）１０は回胴式遊技機２０に隣接して配置されている。メダル貸し出し機１０にはノズル１８ａが設けられており、ノズル１８ａは回胴式遊技機２０に向かって延びており、ノズル１８ａの先端は回胴式遊技機２０に設けられているメダル受け皿２５の上方に位置している。紙幣投入口１２ａに紙幣を投入すると、その紙幣の額に応じた個数のメダル（遊技媒体）が払い出される。メダル貸し出し機１０から払い出されるメダルはノズル１８ａの内部を滑り落ちて、メダル受け皿２５の内部に貯留される。遊技者はメダル受け皿２５から取り出したメダルをメダル投入口１６ａに投入することにより、回胴式遊技機を作動させることができる、すなわち、遊技を開始することができる。
【考案の概要】
【考案が解決しようとする課題】
【０００４】
遊技者がメダル受け皿２５からメダルを取り出す際、メダルを一枚一枚取り出すことが面倒なので、手の平に多数のメダルを握り込み、取り出すことが多い。メダル受け皿２５の空間、特に、この空間の上下の間隔は大きくはないため、メダルを握った手がメダル受け皿２５を構成する周囲の壁部に干渉し、メダルの取り出しに不便なことがある。
また、ノズル１８ａの先端の下方に溜まったメダルは、ノズル１８ａの先端が邪魔になって、取り出しにくい。
【０００５】
これらの問題点を解決するため、ノズル１８ａの先端にトレイを設け、ノズル１８ａを通って払いだされるメダルをトレイに貯留することが考えられる。トレイを設けることにより、少なくともメダル貸し出し機（遊技媒体貸し出し機）１０から払い出されるメダルはトレイに溜まるため、メダル受け皿２５からメダルを取り出すことと比較して、かなり容易にメダルを取り出すことが可能になる。
しかしながら、ノズル１８ａの先端にトレイを設けると、それに伴って、新たな問題点が生じることが考えられる。
【０００６】
通常、パチンコ店その他の遊技場においては、回胴式遊技機は横一列に配置されている。このため、回胴式遊技機２０の右隣に位置する回胴式遊技機の遊技者から見れば、左側の近距離の位置にトレイがあることになり、当該回胴式遊技機２０の遊技者にとっては、セキュリティの観点からは好ましい環境ではない。
本考案は以上のような問題点に鑑みてなされたものであり、メダルその他の遊技媒体の払い出しを行う遊技媒体貸し出し機及び払い出された遊技媒体を使用する遊技機器において、遊技媒体が払い出された後のセキュリティの向上を図ることを可能にするシュート付きトレイを提供することを目的とする。
【課題を解決するための手段】
【０００７】
上記の目的を達成するため、本考案は、メダル排出機構(101)のメダル払い出し口に取り付けられるシュート付きトレイ(100)であって、前記メダル払い出し口に取り付けられるシュート(110)と、前記シュート(110)の先端に形成され、前記メダル排出機構(101)から前記シュート(110)を介して払い出されたメダルを受け入れるトレイ(120)と、を備えるシュート付きトレイ(100)において、前記トレイ(120)は、前記メダルを受け入れるポケット(121a)を形成する第一壁部(121)と、前記メダル排出機構(101)に対する左側及び右側の何れか一方において前記第一壁部(121)より高く形成されている第二壁部(122)と、を備えるものであるシュート付きトレイ(100)を提供する。
【０００８】
本考案の一実施形態においては、前記第二壁部(122)は前記トレイ(120)の前方において前記第一壁部(121)より高く形成されている部分(122a)をさらに有していることが好ましい。
本考案の一実施形態においては、前記第二壁部(122)は前記第一壁部(121)に対して取り外し可能に前記第一壁部(121)に取り付けられていることが好ましい。
本考案の一実施形態においては、前記第二壁部(122)は、前記メダル排出機構(101)に対する左側及び右側の他方において、前記第一壁部(121)に対して取り外し可能に前記第一壁部(121)に取り付け可能であることが好ましい。
【０００９】
本考案の一実施形態においては、前記シュート(110)を構成する複数の面のうち、メダルが滑降する面である底面上には前記底面の少なくとも一部において金属板が取り付けられており、あるいは、前記底面の少なくとも一部は金属板で形成されており、前記金属板は前記メダル排出機構(101)を形成する金属フレーム(135)に常時接触していることが好ましい。
【００１０】
本考案の一実施形態においては、一対のシート状の導電端子(140a,140b)と短絡検出器(141)とをさらに備えており、前記一対のシート状の導電端子(140a,140b)は、前記シュート(110)を構成する複数の面のうち、メダルが滑降する面である底面上に、前記シュート(110)の先端において、相互に間隔を開けて配置されており、前記短絡検出器(141)は、前記ポケット(121a)の内部において一定高さ以上にメダルが貯留されたときに前記導電端子が相互に短絡したことを検出すると、前記導電端子の短絡を示す短絡信号を中央制御装置(143)に送信し、中央制御装置(143)は前記短絡信号を受信すると、遊技媒体の払い出しを停止し、前記短絡検出器(141)は前記導電端子の短絡が解除されたことを検出すると、前記導電端子の短絡解除を示す短絡解除信号を中央制御装置(143)に送信し、中央制御装置(143)は前記短絡解除信号を受信すると、遊技媒体の払い出しが途中である場合には、遊技媒体の払い出しを再開するものであることが好ましい。
【００１１】
本考案の一実施形態においては、前記シュート(110)は前記メダル排出機構(101)に対して水平方向において回動可能であるように取り付けられていることが好ましい。
本考案の一実施形態においては、前記メダル排出機構(101)を前方から見たときに前記トレイ(120)の奥側の位置において前記第一壁部(121)より高く形成されている第四壁部(128)をさらに備えていることが好ましい。
本考案の一実施形態においては、前記トレイ(120)の底面は、前記メダル排出機構(101)を前方から見たときに、前記トレイ(120)の奥側から手前側に向かって下方に傾斜している(121c)ことが好ましい。
なお、括弧内の符号は実用新案登録請求の範囲と後述する各実施形態との対応関係を明確にするために参考用として付したものである。
【考案の効果】
【００１２】
本考案に係るシュート付きトレイは図１５に示した従来のメダル貸し出し機１０のノズル１８ａに対して以下のような効果を奏する。
本考案に係るシュート付きトレイにおけるトレイは第二壁部が形成されていることにより、右側縁が高くなっている構造を有している。このため、メダル貸し出し機１０の右隣に設置されている遊技機器の遊技者からは、第二壁部によって視界を遮られるため、トレイに収容されているメダルは見えない。あるいは、当該遊技者が手を伸ばしても、第二壁部が障壁となるため、トレイ内のメダルには手が届かない。
このように、本考案に係るシュート付きトレイによれば、メダル貸し出し機からトレイにメダルが払い出された後のセキュリティを格段に向上させることが可能である。
また、本考案に係るシュート付きトレイは回胴式遊技機のメダル受け皿の上方に位置させておく必要はない。このため、シュート付きトレイが邪魔になって、シュート付きトレイの下方に溜まっているメダルを取り出しにくいということはなくなる。
【図面の簡単な説明】
【００１３】
【図１】本考案の第一の実施形態に係るシュート付きトレイの斜視図である。
【図２】図１に示したシュート付きトレイの平面図である。
【図３】図１に示したシュート付きトレイの正面図である。
【図４】図１に示したシュート付きトレイの側面図である。
【図５】本考案の第二の実施形態に係るシュート付きトレイの部分的な斜視図である。
【図６】本考案の第三の実施形態に係るシュート付きトレイの部分的な斜視図である。
【図７】本考案の第四の実施形態に係るシュート付きトレイの縦断面図である。
【図８】本考案の第四の実施形態に係るシュート付きトレイの一構成要素である金属板の斜視図である。
【図９】本考案の第四の実施形態に係るシュート付きトレイ下方から見た場合の斜視図である。
【図１０】図９からトレイを取り除いた状態の斜視図である。
【図１１】メダル貸し出し機の内部に配置され、メダル貸し出し機の骨組みを構成している金属フレームの斜視図である。
【図１２】本考案の第五の実施形態に係るシュート付きトレイの部分的な平面図である。
【図１３】本考案の第六の実施形態に係るシュート付きトレイの斜視図である。
【図１４】本考案の第七の実施形態に係るシュート付きトレイの側面図である。
【図１５】従来の回胴式遊技機の正面図である。
【考案を実施するための形態】
【００１４】
（第一の実施形態）
図１は本考案の第一の実施形態に係るシュート付きトレイ１００の斜視図、図２はシュート付きトレイ１００を上方から見たときの平面図、図３はシュート付きトレイ１００の正面図、図４はシュート付きトレイ１００の側面図である。
本実施形態に係るシュート付きトレイ１００はメダル貸し出し機１０１のメダル払い出し口に取り付けられる。
シュート付きトレイ１００は、メダル貸し出し機１０１のメダル払い出し口に取り付けられるシュート１１０と、シュート１１０の先端に形成され、メダル貸し出し機１０１から払い出されたメダルを受け入れるトレイ１２０と、を備えている。
【００１５】
シュート１１０の内部は空洞であり、矩形状の縦断面を有している。メダル貸し出し機１０１から払い出されたメダルはシュート１１０の底面上を滑り落ちて、シュート１１０の先端に位置するトレイ１２０の内部に収容される。
シュート１１０はメダル貸し出し機１０１に対して水平方向Ｈにおいて左右に回動可能であるようにメダル貸し出し機１０１に取り付けられている。
トレイ１２０は第一壁部１２１と第二壁部１２２とから構成されている。
第一壁部１２１はメダルを受け入れるポケット１２１ａ、すなわち、上方が開口している形状の容器を形成している。
【００１６】
第二壁部１２２は第一壁部１２１の上縁上に形成されている。すなわち、図１及び図３に示すように、メダル貸し出し機１０１の前方から見たときに、第一壁部１２１の右側縁において、第二壁部１２２は第一壁部１２１より高くなるように形成されている。
具体的には、第二壁部１２２は、第一壁部１２１の上縁のうち前方にある上縁１２１Ａ上に形成された第一部分１２２ａと、第一壁部１２１の上縁のうち右側縁にある上縁１２１Ｂ上に形成された第二部分１２２ｂと、から構成されている。
なお、図１には、第一壁部１２１と第二壁部１２２との間の境界線である上縁１２１Ａ及び１２１Ｂと、第一部分１２２ａと第二部分１２２ｂと間の境界線１２２ｃとを仮想的に破線で示している。
【００１７】
以上のように、本実施形態に係るシュート付きトレイ１００におけるトレイ１２０は、メダル貸し出し機１０１の前方から見たときに、トレイ１２０の右側縁が高くなっている形状を有している。
本実施形態に係るシュート付きトレイ１００は図１５に示した従来のメダル貸し出し機１０のノズル１８ａに対して以下のような効果を奏する。
上述のように、本実施形態に係るシュート付きトレイ１００におけるトレイ１２０はその右側縁が高くなっている構造を有している。
【００１８】
このため、メダル貸し出し機１０１の右側（図２に示すメダル貸し出し機１０１の右側）に設置されている遊技機器の遊技者からは、第二壁部１２２によって視界を遮られるため、トレイ１２０に収容されているメダルは見えない。あるいは、当該遊技者が手を伸ばしても、第二壁部１２２が障壁となるため、トレイ１２０内のメダルには手が届かない。
このように、本実施形態に係るシュート付きトレイ１００によれば、メダル貸し出し機１０１からトレイ１２０にメダルが払い出された後のセキュリティを格段に向上させることが可能である。
【００１９】
本実施形態に係るシュート付きトレイ１００は上記の構造に限定されるものではなく、種々の改変が可能である。
本実施形態に係るシュート付きトレイ１００においては、メダル貸し出し機１０１の前方から見たときに、トレイ１２０はその右側縁が高くなっている形状を有している。
これとは逆に、メダル貸し出し機１０１が遊技機器の左側（図２のメダル貸し出し機１０１の左側）に設置される場合には、トレイ１２０をその左側縁が高くなるように構成することができる。
【００２０】
また、本実施形態に係るシュート付きトレイ１００はメダル貸し出し機１０１に取り付けられるものとして構成されているが、シュート付きトレイ１００を取り付ける対象はメダル貸し出し機１０１には限定されない。例えば、遊技機器に内蔵されているメダル排出機構のメダル払い出し口に直接的に取り付けることも可能である。
本実施形態に係るシュート付きトレイ１００においては、シュート１１０はメダル貸し出し機１０１に対して水平方向Ｈにおいて左右に回動可能であるように取り付けられているが、シュート１１０をメダル貸し出し機１０１に対して固定的に取り付けることも可能である。
【００２１】
（第二の実施形態）
図５は本考案の第二の実施形態に係るシュート付きトレイ１００Ａの部分的な斜視図である。
図５に示すように、本実施形態に係るシュート付きトレイ１００Ａにおいては、第二壁部１２２は第一の実施形態における第二部分１２２ｂのみから構成されている。さらに、本実施形態においては、第二壁部１２２の底面からは２個の円筒形状の凸部１２３が下方に延びている。２個の凸部１２３は相互に同一の形状（同一径及び同一長さ）を有している。
【００２２】
さらに、第一壁部１２１の右側縁部における上面には２個の孔１２４が形成されており、２個の凸部１２３の各々は孔１２４の各々に嵌合可能であるようになっている。このため、各凸部１２３を各孔１２４に嵌め込むことにより、第二壁部１２２を第一壁部１２１に対して取り付けることができる。また、各凸部１２３を各孔１２４から引き抜くことにより、第二壁部１２２を第一壁部１２１から取り外すことができる。
このように、本実施形態に係るシュート付きトレイ１００Ａにおいては、第二壁部１２２は第一壁部１２１に対して取り外し可能に第一壁部１２１に取り付けることが可能である。
【００２３】
（第三の実施形態）
図６は本考案の第三の実施形態に係るシュート付きトレイ１００Ｂの部分的な斜視図である。
図６に示すように、本実施形態に係るシュート付きトレイ１００Ｂにおいては、第二の実施形態に係るシュート付きトレイ１００Ａと比較して、第一壁部１２１の左側縁部における上面に２個の孔１２４ａが追加的に形成されている。第二壁部１２２の凸部１２３は孔１２４ａにも嵌合可能である。
このように、第一壁部１２１の右側縁部及び左側縁部の双方の上面にそれぞれ孔１２４及び孔１２４ａを形成することにより、第二壁部１２２を第一壁部１２１の左右何れかあるいは双方の側縁に取り付けることが可能になる。
【００２４】
例えば、遊技機器がメダル貸し出し機１０１の右側（図２のメダル貸し出し機１０１の右側）に配置されている場合には、第二壁部１２２の凸部１２３を第一壁部１２１の孔１２４に嵌合させることにより、第二壁部１２２を隣接する遊技機器に対する障壁とすることが可能になる。また、遊技機器がメダル貸し出し機１０１の左側（図２のメダル貸し出し機１０１の左側）に配置されている場合には、第二壁部１２２の凸部１２３を第一壁部１２１の孔１２４ａに嵌合させることにより、第二壁部１２２を隣接する遊技機器に対する障壁とすることができる。
このように、本実施形態に係るシュート付きトレイ１００Ｂによれば、遊技機器とメダル貸し出し機１０１との位置関係にかかわらず、第二壁部１２２を有効に用いることが可能になる。
【００２５】
（第四の実施形態）
図７は本考案の第四の実施形態に係るシュート付きトレイ１００Ｃの縦断面図である。
本実施形態に係るシュート付きトレイ１００Ｃは静電気防止板として機能する金属板１３０を備えている。
図８は金属板１３０の斜視図である。
図８に示すように、金属板１３０はほぼ長方形形状をなしており、二つの開口部１３１ａ、１３１ｂが形成されている。金属板１３０の一端（図８の右端）は、横幅が縮小されており、かつ、ほぼ垂直下方に屈曲している屈曲端１３２となっている。
【００２６】
図９は本実施形態に係るシュート付きトレイ１００Ｃを下方から見た場合の斜視図、図１０は図９からトレイ１２０を取り除いた状態の斜視図である。
図１１はメダル貸し出し機１０１の内部に配置され、メダル貸し出し機１０１の骨組みを構成している金属フレーム１３５の斜視図である。金属フレーム１３５はそれぞれ外側に向かって突出し、上下方向において相互に隔置している一対の突出部１３６、１３７を備えている。下方の突出部１３７の先端には半円形状の突起１３７ａが形成されている。シュート１１０は一対の突出部１３６、１３７の間に取り付けられている。
【００２７】
図７、図９及び図１０に示すように、金属板１３０はシュート１１０の底面の一部を構成している。あるいは、金属板１３０は、開口部１３１ａ、１３１ｂをシュート１１０の底面に設けられた凸部に嵌め込むことにより、シュート１１０の底面上に取り付けることも可能である。
金属板１３０はシュート１１０の底面の全長に渡る長さを有している。
図７、図９及び図１０に示すように、金属板１３０はその屈曲端１３２において金属フレーム１３５の突出部１３７の先端に形成されている半円形状の突起１３７ａと接触している。
【００２８】
このため、シュート１１０がメダル貸し出し機１０１に対して水平方向において左右に回動しても、金属板１３０は屈曲端１３２を介して常に突出部１３７の突起１３７ａとの接触を維持している。
本実施形態に係るシュート付きトレイ１００Ｃは以下の効果を奏する。
多数のメダルがシュート１１０の内部を滑り落ちる際には、シュート１１０の内面との間の摩擦に起因して多量の静電気が発生する。このため、トレイ１２０のポケット１２１ａに収納されたメダルには多量の静電気が貯留される結果となる。
【００２９】
本実施形態に係るシュート付きトレイ１００Ｃにおいては、シュート１１０の底面に金属板１３０が取り付けられているため、シュート１１０の内部をメダルが滑降している間に発生した静電気は金属板１３０に帯電する。金属板１３０に帯電した静電気は屈曲端１３２を介して金属フレーム１３５の突出部１３７に伝達され、ひいては、金属フレーム１３５の全体に伝達される。
このため、金属フレーム１３５をアースしておくことにより、多量の静電気を地面に逃がすことができる。
【００３０】
このように、本実施形態に係るシュート付きトレイ１００Ｃによれば、メダルの移動中に発生した静電気を確実にアースすることができるため、静電気に起因するトラブルを未然に防止することが可能である。
本実施形態に係るシュート付きトレイ１００Ｃにおいては、金属板１３０はシュート１１０の底面の全長に渡る長さを有するものとして形成されているが、金属板１３０の長さはそれには限定されない。金属板１３０は、その屈曲端１３２において突出部１３７に接触している限りにおいては、シュート１１０の底面の全長の一部のみを形成するものであってもよい。
【００３１】
（第五の実施形態）
図１２は本考案の第五の実施形態に係るシュート付きトレイの部分的な平面図である。図１２はシュート１１０の先端付近の部分（シュート１１０とトレイ１２０との境界部分）と、シュート１１０に結合しているトレイ１２０の一部分とを示している。
図１２に示すように、シュート１１０の底面（メダルが滑り落ちる面）上には、トレイ１２０との境界まで延びる一対のストリップ形状の導電シート１４０ａ、１４０ｂが取り付けられている。各導電シート１４０ａ、１４０ｂはシュート１１０の底面の両側に沿って延びている。
【００３２】
各導電シート１４０ａ、１４０ｂは短絡検出器１４１を介して電気的に接続されている。さらに、導電シート１４０ａ、１４０ｂと短絡検出器１４１とからなる回路の任意の位置には電源１４２が配置されている。
短絡検出器１４１は、メダル貸し出し機１０１のメダル払い出し動作を制御する中央制御装置１４３に電気的に接続されている。
本実施形態に係るシュート付きトレイは以下のように作動する。
トレイ１２０の内部に収納されているメダルの高さがシュート１１０の底面の位置まで達すると、メダルの山の一番上の１個または複数個のメダルを介して導電シート１４０ａ、１４０ｂが相互に電気的に接続される、すなわち、短絡する。
【００３３】
導電シート１４０ａ、１４０ｂが短絡すると、短絡検出器１４１がこの短絡を検出する。次いで、短絡検出器１４１は導電シート１４０ａ、１４０ｂが短絡したことを示す短絡信号を中央制御装置１４３に送信する。短絡信号を受信した中央制御装置１４３は、全てのメダルの払い出しが終了していない場合であっても、メダル貸し出し機１０１のメダル払い出し動作を停止させる。さらに、中央制御装置１４３は、例えば、音、光または映像による警報信号を遊技者に発し、メダルがトレイ１２０からこぼれ落ちる寸前であることを遊技者に知らせる。あるいは、中央制御装置１４３は遊技場側にもその旨を知らせる。
【００３４】
遊技者がメダルを取り出し、導電シート１４０ａ、１４０ｂ間の短絡が解除されると、短絡検出器１４１はこの短絡解除を検出し、その旨を示す短絡解除信号を中央制御装置１４３に送信する。短絡解除信号を受信した中央制御装置１４３は、メダルの払い出しが途中である場合には、メダルの払い出しを再開させる。
本実施形態に係るシュート付きトレイは以下のような効果を奏する。
本実施形態に係るシュート付きトレイによれば、メダルがトレイ１２０からこぼれ落ちる前に、または、シュート１１０の内部にメダルが詰まり過ぎてメダル詰まりを起こす前に、短絡検出器１４１がメダルの大量貯留を検出し、短絡検出器１４１からの短絡信号を受信した中央制御装置１４３がメダルの払い出しを停止する。このため、メダルの払い出しを続行することによってメダルがトレイ１２０から溢れ出ること及びシュート１１０の内部でのメダル詰まりを防止することができる。
【００３５】
また、遊技者がメダルをトレイ１２０から取り出すことにより、トレイ１２０内のメダル数が減った場合には、中央制御装置１４３は払い出しの途中で停止していたメダルの払い出しを再開し、全てのメダルを払い出す。このように、メダルの払い出しが途中で停止したとしても、全てのメダルの払い出しは確実に実行される。
さらに、中央制御装置１４３は、トレイ１２０からメダルがこぼれ落ちる前またはメダル詰まりが起きる前に遊技者にその旨を知らせるため、トレイ１２０からメダルが溢れ出たり、シュート１１０の内部でメダルが詰まったりすることを防止することが可能である。
【００３６】
（第六の実施形態）
図１３は本考案の第六の実施形態に係るシュート付きトレイ１００Ｅの斜視図である。
本実施形態に係るシュート付きトレイ１００Ｅは、トレイ１２０が第四壁部１２８を備えている点において第一の実施形態に係るシュート付きトレイ１００と相違している。
図１３に示すように、第四壁部１２８は、メダル貸し出し機１０１を前方から見たときに、トレイ１２０の奥側の位置において第一壁部１２１の上方において第一壁部１２１より高く形成されている。第四壁部１２８はその下縁が第一壁部１２１の上縁と、その右側縁がシュート１１０と連結されている。例えば、第四壁部１２８は第二壁部１２２と同じ高さに設定される。
【００３７】
なお、図１３には第四壁部１２８と第一壁部１２１との境界を示す境界線１２８ａが破線で仮想的に示されている。
第四壁部１２８を設けることにより、遊技者は第四壁部１２８に指を沿わすことにより、トレイ１２０のポケット１２１ａの内部に指を入れ易くなり、トレイ１２０の内部のメダルを掴み出すときに好都合である。
本実施形態においては、第四壁部１２８は第一壁部１２１と一体的に形成されているが、第四壁部１２８を第一壁部１２１とは別部材として構成し、第二及び第三の実施形態における第二壁部１２２と同様に、第四壁部１２８を第一壁部１２１に対して取り外し可能に第一壁部１２１に取り付けることも可能である。
【００３８】
（第七の実施形態）
図１４は本考案の第七の実施形態に係るシュート付きトレイ１００Ｆの側面図である。
本実施形態に係るシュート付きトレイ１００Ｆにおいては、図１４に示すように、トレイ１２０の第一壁部１２１の底面１２１ｃは、メダル貸し出し機１０１を前方から見たときに、トレイ１２０の奥側から手前側に向かって下方に傾斜している。すなわち、遊技者から見て、トレイ１２０の底面１２１ｃは奥側が高く、手前側が低くなっている。
このため、本実施形態に係るシュート付きトレイ１００Ｆによれば、遊技者にとっては、トレイ１２０の内部のメダルを手前側にすくい易くなっている。
【産業上の利用可能性】
【００３９】
本考案はメダル貸し出し機その他のメダル排出機構のメダル払い出し口に取り付けられるシュート付きトレイとして最適である。
【符号の説明】
【００４０】
１００  本考案の第一の実施形態に係るシュート付きトレイ
１００Ａ  本考案の第二の実施形態に係るシュート付きトレイ
１００Ｂ  本考案の第三の実施形態に係るシュート付きトレイ
１００Ｃ  本考案の第四の実施形態に係るシュート付きトレイ
１００Ｅ  本考案の第六の実施形態に係るシュート付きトレイ
１００Ｆ  本考案の第七の実施形態に係るシュート付きトレイ
１０１  メダル貸し出し機
１１０  シュート
１２０  トレイ
１２１  第一壁部
１２２  第二壁部
１２３  凸部
１２８  第四壁部
１３０  金属板
１４０ａ，１４０ｂ  導電シート
１４１  短絡検出器
１４３  中央制御装置
【図１】
0003219712.tif 000003
【図２】
0003219712.tif 000004
【図３】
0003219712.tif 000005
【図４】
0003219712.tif 000006
【図５】
0003219712.tif 000007
【図６】
0003219712.tif 000008
【図７】
0003219712.tif 000009
【図８】
0003219712.tif 000010
【図９】
0003219712.tif 000011
【図１０】
0003219712.tif 000012
【図１１】
0003219712.tif 000013
【図１２】
0003219712.tif 000014
【図１３】
0003219712.tif 000015
【図１４】
0003219712.tif 000016
【図１５】
0003219712.tif 000017